(57)【特許請求の範囲】
【請求項１】
光方向軸及び外側の湾曲した表面を有し、複数のＬＥＤを支持するように構成および配列されている支持体モジュールと、
前記支持体モジュールの支持面上に配設された複数のＬＥＤと、
各ＬＥＤに１つずつ、光をＬＥＤから遠くへ方向付けるための、アクリルを含む複数のレンズと、
前記支持体モジュールを受け、所望の配向で、前記支持体モジュールの前記外側の湾曲した表面を保持し、且つ該外側の湾曲した表面と接触したままであるようにするように構成および配列されている、内側の湾曲した表面を有する第１の筐体と、
長手方向軸を有し、前記第１の筐体を受けるように構成および配列されている第２の筐体と、
前記第１の筐体内で、前記支持体モジュールの配向を調整するための手段と
を備える、地中ライトアセンブリ。
【請求項２】
調整するための前記手段は、ウォームギアと、前記第２の筐体の外側からアクセス可能な調整ねじとを備える、請求項１に記載のアセンブリ。
【請求項３】
調整するための前記手段は、ウォームギアと、前記第２の筐体の外側からアクセス可能な調整つまみとを備える、請求項１に記載のアセンブリ。
【請求項４】
前記支持体モジュールは、青銅、または青銅合金を含む、請求項１に記載のアセンブリ。
【請求項５】
前記第１の筐体は、青銅、または青銅合金を含む、請求項１に記載のアセンブリ。
【請求項６】
前記支持体モジュールの前記外側の湾曲した表面は、球状外面を含み、前記第１の筐体の前記内側の湾曲した表面は、前記支持体モジュールが複数の配向のうちのいずれか１つで配向される場合、前記支持体モジュールの前記球状外面を受けるように構成および配列されている球状内面を含む、請求項１に記載のアセンブリ。
【請求項７】
前記支持体モジュールが前記第１の筐体内で枢動することを可能にするように構成および配列されている、前記第１の筐体と前記支持体モジュールとの間の１対の枢動ねじをさらに備え、前記枢動ねじは、前記支持体モジュールの第１の枢動軸を画定する、請求項６に記載のアセンブリ。
【請求項８】
中間筐体と、前記支持体モジュールに対する第２の枢動軸を画定する第２の対の枢動ねじとをさらに備え、前記第２の枢動軸は、前記第１の枢動軸にほぼ垂直であり、前記光方向軸は、立体角全体に照準可能である、請求項７に記載のアセンブリ。
【請求項９】
前記内側筐体は、前記外側筐体内で回転可能であり、第１の枢動軸は、前記長手方向軸に対して回転する、請求項７に記載のアセンブリ。
【請求項１０】
前記複数のレンズは、反射エレメントを備える、請求項１に記載のアセンブリ。
【請求項１１】
前記複数のＬＥＤを駆動するように構成および配列されている駆動部／電源をさらに備える、請求項１に記載のアセンブリ。
【請求項１２】
前記駆動部／電源は、エポキシカプセル化される、請求項１１に記載のアセンブリ。
【請求項１３】
前記駆動部／電源は、前記支持体モジュール内に配設される、請求項１１に記載のアセンブリ。
【請求項１４】
前記駆動部／電源は、前記第１の筐体モジュール内に配設される、請求項１１に記載のアセンブリ。
【発明の詳細な説明】
【技術分野】
【０００１】
本発明は、外部から配向可能なＬＥＤ地中ライトに関する。
【背景技術】
【０００２】
[0001]本出願は、２００８年９月８日出願の米国特許仮出願第６１／０９５，１５９号への優先権を主張するものであり、その全内容を参照によって本明細書に組み込む。本特許文書の開示の一部は、著作権保護を受ける資料を含む。著作権所有者は、それが特許商標庁の特許ファイルまたは記録に示される限りにおいては、本特許文書または本特許開示の、いかなる者による複製に対しても異議はないが、それ以外は、何であれすべての著作権を留保する。
【０００３】
[0002]発光ダイオード（「ＬＥＤ」）は、以前には白熱灯または蛍光灯が使用されていた用途でますます使用されている。景観・屋外照明などの様々な照明用途に現在使用されている地中ライトがある。以前から存在する一般的な地中ライトは、ＬＥＤを使用するものでさえも、ＬＥＤの使用に向けて最適化されておらず、熱管理の問題を伴う。例えばこれらの装置は、例えば伝導不足および／または対流不足に起因して、熱管理や熱保持不足などの熱的な問題を抱えることがある。中でも特に、このような熱管理の問題は、ライトの耐用年数を縮めることになり得る。
【０００４】
[0003]地中ライトアセンブリの照準を決める（aiming）という問題は、一般に、封止されたライト構造体を開き、次いで、ユニットを、例えばエレメントまで開いて、塵、水分侵入などの影響を受けやすい状態で、ベース／照明アセンブリを手動で調整することによって対処される。
【発明の概要】
【発明が解決しようとする課題】
【０００５】
[0004]したがって、望ましいことは、従来技術に対して指摘されるこのような制限に対処する装置および技術である。
【課題を解決するための手段】
【０００６】
[0005]本開示の実施形態は、従来技術に対して以前から指摘されている欠点に対処する。本開示の例示的な実施形態は、封止されたＬＥＤモジュールを開く必要なしに、外部からの調整装置／機能／手段によって照準可能な地中ＬＥＤ照明ユニット／アセンブリを含む。ＬＥＤおよび／またはＬＥＤ取付けアセンブリからの熱は、モジュールが、例えば垂直線から１５度まで、またはそれ以上に傾斜している間、外気または内部の熱伝導構造体に伝達可能である。高い熱伝導率を有する材料（例えば、熱伝導性のグリースおよび／または青銅合金）を使用することにより、熱的な管理を容易にすることが可能である。本開示による実施形態の設計によってもたらされる熱放散／熱管理は、ＬＥＤの有効耐用年数の増大を可能にすることができる。
【０００７】
[0006]地中ライトユニットの封止は、エンドユーザ（例えば、保守技術者）がユニットに漏れを生じさせること、それによって、早期故障が生じることの危険性をなくす／最小限にすることを可能にする。加えて、地中ＬＥＤライトのモジュラ構造は、ほんのわずかな分解で、関連するエレクトロニクスの改良／更新を可能にすることができる。
【０００８】
[0007]さらには、本開示の実施形態は、優れた／改良された熱管理によって、例えば、青銅ブッシングなどの熱伝導する材料もしくは熱伝導性のグリーサを選択し、使用することによって、かつ／あるいはひいてはエアフロー（および対流冷却）のための所望の空間／容積をもたらす外側筐体と周囲のコンクリート／セメントとの間の環状間隙（ドーナツ）の存在によって、使用中の地中モジュールおよび／またはＬＥＤに耐用年数の増大をもたらすことが可能である。
【０００９】
[0008]本開示の他の特徴および利点は、図面を参照しながら本明細書に説明する例示的な実施形態の詳細な記載を読み、理解すると、理解されるであろう。
[0009]本開示の態様は、本質的に例示的と見なすべきであり、限定しているとは見なすべきでない添付の図面とともに読めば、以下の説明から、より完全に理解することが可能である。図面は、必ずしも原寸に比例しておらず、そうではなく、本開示の原理に重きを置いている。本発明は、以下の項目に関し得る。
（項目１）  光方向軸を有し、複数のＬＥＤを支持するように構成および配列されている支持体モジュールと、前記支持体モジュールを受け、所望の配向で、前記支持体モジュールを保持するように構成および配列されている第１の筐体と、長手方向軸を有し、前記第１の筐体を受けるように構成および配列されている第２の筐体と、前記第１の筐体内で、前記支持体モジュールの配向を調整するための手段とを備える、照明装置。
（項目２）前記支持体モジュールの表面上に配設された支持面上に配設された複数のＬＥＤをさらに備える、項目１に記載の装置。
（項目３）調整するための前記手段は、ウォームギアと、前記第２の筐体の外側からアクセス可能な調整ねじとを備える、項目１に記載の装置。
（項目４）調整するための前記手段は、ウォームギアと、前記第２の筐体の外側からアクセス可能な調整つまみとを備える、項目１に記載の装置。
（項目５）前記支持体モジュールは、青銅、または青銅合金を含む、項目１に記載の装置。
（項目６）前記第１の筐体は、青銅、または青銅合金を含む、項目１に記載の装置。
（項目７）前記支持体モジュールは、球状外面を含み、前記第１の筐体は、前記支持体モジュールが複数の配向のうちのいずれか１つで配向される場合、前記支持体モジュールの前記球状外面を受けるように構成および配列されている球状内面を含む、項目１に記載の装置。
（項目８）前記支持体モジュールが前記第１の筐体内で枢動することを可能にするように構成および配列されている、前記第１の筐体と前記支持体モジュールとの間の１対の枢動ねじをさらに備え、前記枢動ねじは、前記支持体モジュールの第１の枢動軸を画定する、項目７に記載の装置。
（項目９）前記光方向軸が前記第２の筐体の前記長手方向軸と同一平面内にある前記支持体モジュールの前記配向は、プラスマイナス約２５内にある、項目７に記載の装置。
（項目１０）前記光方向軸が前記第２の筐体の前記長手方向軸と同一平面内にある前記支持体モジュールの前記配向は、プラスマイナス約１５内にある、項目９に記載の装置。
（項目１１）前記光方向軸が前記第２の筐体の前記長手方向軸との立体角内にある前記支持体モジュールの前記配向は、断面半角約２５の立体角内にある、項目７に記載の装置。
（項目１２）前記光方向軸が前記第２の筐体の前記長手方向軸との立体角内にある前記支持体モジュールの前記配向は、断面半角約２５の立体角内にある、項目１１に記載の装置。
（項目１３）中間筐体と、前記支持体モジュールに対する第２の枢動軸を画定する第２の対の枢動ねじとをさらに備え、前記第２の枢動軸は、前記第１の枢動軸にほぼ垂直であり、前記光方向軸は、立体角全体に照準可能である、項目１１に記載の装置。
（項目１４）前記内側筐体は、前記外側筐体内で回転可能であり、前記第１の枢動軸は、前記長手方向軸に対して回転する、項目８に記載の装置。
（項目１５）各ＬＥＤに１つずつ、光をＬＥＤから遠くへ方向付けるための複数の光学エレメントをさらに備える、項目２に記載の装置。
（項目１６）前記複数の光学エレメントは、レンズを備える、項目１５に記載の装置。
（項目１７）前記複数の光学エレメントは、アクリルを含む、項目１６に記載の装置。
（項目１８）前記複数の光学エレメントは、反射エレメントを備える、項目１５に記載の装置。
（項目１９）前記複数のＬＥＤを駆動するように構成および配列されている駆動部／電源をさらに備える、項目１に記載の装置。
（項目２０）前記駆動部電源は、エポキシカプセル化される、項目１９に記載の装置。
（項目２１）前記駆動部電源は、前記支持体モジュール内に配設される、項目１９に記載の装置。
（項目２２）前記駆動部電源は、前記第１の筐体モジュール内に配設される、項目１９に記載の装置。
（項目２３）光方向軸を有し、複数のＬＥＤを支持するように構成および配列されている支持体モジュールと、前記支持体モジュールを受け、所望の配向で、前記支持体モジュールを保持するように構成および配列されている第１の筐体と、長手方向軸を有し、前記第１の筐体を受けるように構成および配列されている第２の筐体と、前記第１の筐体内で、前記支持体モジュールの前記配向を調整するように構成および配列されている調整アセンブリとを備える、照明装置。
（項目２４）前記支持体モジュールの表面上に配設された支持面上に配設された複数のＬＥＤをさらに備える、項目２３に記載の装置。
（項目２５）前記調整アセンブリは、ウォームギアと、前記第２の筐体の外側からアクセス可能な調整ねじとを備える、項目２３に記載の装置。
（項目２６）前記調整アセンブリは、ウォームギアと、前記第２の筐体の外側からアクセス可能な調整つまみとを備える、項目２３に記載の装置。
（項目２７）前記支持体モジュールは、青銅、または青銅合金を含む、項目２３に記載の装置。
（項目２８）前記第１の筐体は、青銅、または青銅合金を含む、項目２３に記載の装置。
（項目２９）前記支持体モジュールは、球状外面を含み、前記第１の筐体は、前記支持体モジュールが複数の配向のうちのいずれか１つで配向される場合、前記支持体モジュールの前記球状外面を受けるように構成および配列されている球状内面を含む、項目２３に記載の装置。
（項目３０）前記支持体モジュールが前記第１の筐体内で枢動することを可能にするように構成および配列されている、前記第１の筐体と前記支持体モジュールとの間の１対の枢動ねじをさらに備え、前記枢動ねじは、前記支持体モジュールの第１の枢動軸を画定する、項目２９に記載の装置。
（項目３１）前記光方向軸が前記第２の筐体の前記長手方向軸と同一平面内にある前記支持体モジュールの前記配向は、プラスマイナス約２５内にある、項目２９に記載の装置。
（項目３２）前記光方向軸が前記第２の筐体の前記長手方向軸と同一平面内にある前記支持体モジュールの前記配向は、プラスマイナス約１５内にある、項目３２に記載の装置。
（項目３３）前記光方向軸が前記第２の筐体の前記長手方向軸との立体角内にある前記支持体モジュールの前記配向は、断面半角約２５の立体角内にある、項目２９に記載の装置。
（項目３４）前記光方向軸が前記第２の筐体の前記長手方向軸との立体角内にある前記支持体モジュールの前記配向は、断面半角約２５の立体角内にある、項目３３に記載の装置。
（項目３５）中間筐体と、前記支持体モジュールに対する第２の枢動軸を画定する第２の対の枢動ねじとをさらに備え、前記第２の枢動軸は、前記第１の枢動軸にほぼ垂直であり、前記光方向軸は、立体角全体に照準可能である、項目３３に記載の装置。
（項目３６）前記内側筐体は、前記外側筐体内で回転可能であり、前記第１の枢動軸は、前記長手方向軸に対して回転する、項目３３に記載の装置。
（項目３７）各ＬＥＤに１つずつ、光をＬＥＤから遠くへ方向付けるための複数の光学エレメントをさらに備える、項目２４に記載の装置。
（項目３８）前記複数の光学エレメントは、レンズを備える、項目３７に記載の装置。
（項目３９）前記複数の光学エレメントは、アクリルを含む、項目３８に記載の装置。
（項目３７）前記複数の光学エレメントは、反射エレメントを備える、項目３７に記載の装置。
（項目４１）前記複数のＬＥＤを駆動するように構成および配列されている駆動部／電源をさらに備える、項目２３に記載の装置。
（項目４２）前記駆動部電源は、エポキシカプセル化される、項目４１に記載の装置。
（項目４３）前記駆動部電源は、前記支持体モジュール内に配設される、項目４１に記載の装置。
（項目４４）前記駆動部電源は、前記第１の筐体モジュール内に配設される、項目４１に記載の装置。
【図面の簡単な説明】
【００１０】
【図１】[0010]本開示の例示的な実施形態による地中ＬＥＤライトを示す様々な図である。
【図２】[0011]図２の（Ａ）は、本開示の例示的な実施形態を示す上面図であり、図２の（Ｂ）〜（Ｆ）は、本開示の例示的な実施形態を示す横断面図である。
【図３】[0012]本開示の例示的な実施形態によるＬＥＤからの光の分散／光成形に使用する光学部（光学エレメント）に関するデータシートを示す図である。
【発明を実施するための形態】
【００１１】
[0013]特定の実施形態を図面に示すが、当業者は、示された実施形態が例示的であり、図示するものの変形形態ならびに本明細書に説明する他の実施形態が、本開示の範囲内で想定可能かつ実施可能であることを理解するであろう。
【００１２】
[0014]本開示の実施形態は、地中用途で使用するのに適している封止筐体内に複数のＬＥＤを含むことが可能な照明モジュールを含む。照明アセンブリは、封止された照明モジュールを開く必要なしに、外部からの調整装置／機能／手段によって照準可能である。加えて、照明モジュールは、ＬＥＤおよび関連構造体（複数可）から生成される熱の熱管理に向けて最適化される。例えば、熱伝導性材料の使用によって、ＬＥＤおよび／またはＬＥＤ取付け用アセンブリからの熱は、モジュールが、例えば垂直線から２５度まで、またはそれ以上に傾斜している間、外気に伝達可能である。地中ＬＥＤライトアセンブリのモジュール構造体は、ほんのわずかな分解で、関連するエレクトロニクスの改良／更新を可能にすることができる。さらには、実施形態の設計によってもたらされる熱放散／熱管理は、ＬＥＤの有効耐用年数の増大を可能にすることができる。
【００１３】
[0015]本開示の実施形態、例えば、地中ＬＥＤライトおよび照明モジュールは、例えば、建物、看板、景観材料、旗竿、室内建築的造作物、製品陳列、自動車などの構造体などを含むが、それらに限定されない所望の範囲を照らすために使用可能である。地中ＬＥＤライト（製品）の実施形態は、コンクリートにあらかじめ成型されても、または土などの中に直接配置されてもよい。ライトアセンブリの外側の（例えば、予備の）筐体部／部分は、電線管系統および適切な電源／ケーブル、例えば、１２０Vパワーの適切な電流を有するものに装着可能かつ接続可能である。
【００１４】
[0016]図１は、本開示の例示的な実施形態による地中ＬＥＤライトアセンブリ１００の上面図、第１の断面図、底面図、および第２の断面図をそれぞれ示す図１（Ａ）〜図１（Ｄ）を含む。
【００１５】
[0017]図１（Ａ）を参照すると、ライトアセンブリ１００が、支持体１１０を含み、その上の複数のＬＥＤ１１２が支持体表面１１４（例えば、プリント回路基板）上に位置決めされている。支持体１１０は、それが、ＬＥＤ１１２からの光出力を再配向するために移動可能になるようなやり方で、第１の（内側）筐体１２０によって受けることが可能である。図示するように、筐体１２０の内部表面は、支持体１１０の対応する球状（湾曲した）部分と対合することが可能な部分的球状（湾曲した）部分を有することが可能である。
【００１６】
[0018]図１（Ａ）における切断面１−１に沿った断面図を示している図１（Ｂ）に示すように、内側筐体１２０は、第２の（外側）筐体１３０内に位置決め可能である。駆動部および／または電源（駆動部／電源）１１６が、第１の筐体１２０内に位置決め可能である。レンズ１３２が、レンズ枠１３６によって保持可能であり、それ自体は、例えば、図示のねじ１３８を含むが、それに限定されない適切な留め具によって、第２の筐体１３０内に保持可能である。また、第２の筐体内では、接続箱１４０が存在することが可能であり、適切な配線および接続子１４４によって、第１の筐体１２０の駆動部／電源１１６に接続可能である。
【００１７】
[0019]図１（Ｃ）は、ライトアセンブリ１００の底面図を示し、第２の筐体１３０と、接続箱１４０の範囲と、電気接続部用の開口部１５０とが示されている。
[0020]図１（Ｄ）は、図１（Ｂ）に類似する横断面図を示し、図１（Ｂ）について示すものとは別の方向に配向された（例えば、照準された）支持体１１０が示されている。図では、支持体１１０の湾曲した（例えば、球状）外面を、ＬＥＤ１１２の光出力（例えば、光軸）の方向がライトアセンブリ１００の長手方向軸２から角度１で方向付けられている間、内側筐体１２０の湾曲した（例えば、球状）表面と接触したままであるように示している。光学的な熱伝達特性を容易にするために、熱伝導性のグリースが、支持体１１０の球状面と、第１の（内側）筐体１２０の対応する球状面との間で使用可能である。図１に示すように、（必要に応じて、エポキシまたは他の材料内にカプセル化可能な）駆動部／電源１１６は、例えば、内側筐体１２０の壁に隣接して、アセンブリ内に必要に応じて設置可能である。駆動部／電源１１６は、２つの側のそれぞれに対して、選択可能な代替の回路／機能を有する２面の回路基板上に実装可能であることに留意されたい。このような２面の機能は、同一の駆動部／電源１１６基板が、（製造費用を抑える可能性がある）複数の用途に使用されることを可能にすることができる。駆動部／電源１１６は、例えば、図２に関して示し、説明する実施形態のように他の場所に配置可能である。
【００１８】
[0021]図２は、本開示による照明アセンブリ（または装置）２００の例示的な実施形態の上面図および様々な横断面図をそれぞれ示す図２（Ａ）〜（Ｆ）を含む。
[0022]図２（Ａ）は、地中ライトアセンブリ２００の上面図を示す。示されている上面図においては、筐体２３０が、レンズ２３０を保持するレンズ枠２３２を受ける。レンズは、装置２００内に設置されるいくつかの光源（例えば、ＬＥＤ）からの光を通す働きをする。さらに詳細に後述するように、（図２（Ａ）には示していない）光源は、支持体（モジュール）上に支持可能であり、その支持体は、支持体の配向が調整アセンブリ（または等価的には、調整するための手段）によって調整可能になる（または照準可能になる）ようなやり方で、別の筐体によって保持される。代表的な照準（配向）調整ねじ２５０を図２（Ａ）に示す。
【００１９】
[0023]図２（Ｂ）は、切断線１−１に沿ったライトアセンブリ２００の横断面図を示す。支持体２１０は、支持面（例えば、プリント回路基板）２１４上の１つまたは複数のＬＥＤ２１２を支持するように構成および配列されている。対応する光学部／光学エレメント２１６が存在することが可能である。支持体２１０は、支持体２１０がＬＥＤ２１２から光出力を再配向するように移動可能になるようなやり方で、第１の（内側）筐体２２０によって受けることが可能である。図示するように、筐体２２０の内部表面は、支持体２１０の対応する外側の球状（湾曲した）部分と対合することが可能な部分的に球状（湾曲した）部分を有することが可能である。（例えば、図２（Ｅ）に示す）調整アセンブリ／手段が、ライトアセンブリ２００を分解する必要なしに、支持体およびＬＥＤを再配向するために存在することが可能である。図１の実施形態のように、光学的な熱伝達特性を容易にするために、熱伝導性のグリースが、支持体２１０の球状面と、第１の（内側）筐体２２０の対応する球状面との間で使用されてよい。
【００２０】
[0024]図２（Ｃ）は、切断線２−２に沿ったライトアセンブリ２００の横断面図を示す。図２（Ｃ）における図は、図２（Ｂ）における図に垂直である。
[0025]図２（Ｄ）は、切断線３−３に沿ったライトアセンブリ２００の横断面図を示し、調整アセンブリ／手段の断面詳細を見ることができる。照準用調整ねじ２５０と、ワームギア２５２と、ワームギア保持器ピン２５８とが含まれる。枢軸部（例えば、枢軸ねじ）２６０が示されており、それは、支持体モジュール２１０が（２つのねじの間の）軸の周りを回転することを可能にする。代替の実施形態においては、支持体モジュール２１０は、照明範囲の対象を増大させるために立体角全体にわたって照準可能であり、そのような立体角調整のために、内側筐体２２０は（外側筐体の長手方向軸周りを）回転可能であることができる。あるいは、支持体モジュールは、（外側筐体の長手方向軸周りを）回転可能であることができ、代替の調整手段／アセンブリ２５０が必要になる。例示的な実施形態においては、内側筐体２２０と、外側筐体２３０との間の中間筐体または筐体部分とともに構成されている第２の対の枢軸ねじが、機能的なジンバルを提供して、立体角全体にわたって（ライト光軸を有する）支持体モジュールを照準させるために使用可能になる。中間筐体は、内側筐体２２０および外側筐体２３０の対応する表面と対合する内側および外側の湾曲した（例えば、球状）表面を有することが可能になる。
【００２１】
[0026]図２（Ｅ）は、切断線４−４に沿ったライトアセンブリ２００の横断面図を示す。図示するように、照準用調整ねじ２５０は、支持体モジュールおよびＬＥＤの配向がアセンブリ２００を分解する必要なしに、調整可能になるように、第２の筐体２３０の外面に対して露出可能である。（例えば、３０４ステンレススチールから形成される）調整ねじ２５０は、ワームギア２５２を保持するようにナール形状であってよい。Ｏリング２５４と保持用リング２５６とが、図示するように、存在することが可能である。
【００２２】
[0027]図２（Ｆ）は、切断線５−５に沿ったライトアセンブリ２００の横断面図を示す。図２（Ｆ）は、別の視点からのワームギア２５２を示す。
[0028]例示的な実施形態においては、図２に示すように、（例えば、１９個のＬＥＤを使用する固体照明について「ＳＳＬ１９」と呼ぶことが可能な）ＬＥＤ支持体を含む照明筐体の筐体（ａ／ｋ／ａ仕上げ部）は、適切な接続部、例えば、ＩＰ６７防水可能な接続子を介して接続可能であり、コンクリートの中にあらかじめ成型されている外側筐体内（予備の筐体、または「ＲＩＨ」）に配置可能である。所望の数およびタイプの適切な接続子、例えば、３つのねじは、外側筐体をＲＩＨに接続することが可能である。次いで、ユニット／アセンブリのＬＥＤは、例えば、ねじ回しまたはアレンレンチなどの適切な道具で、または手動で、調整ねじ／つまみを回転させることによって、所望の配向／方向で照準可能である。
【００２３】
[0029]装置２００の例示的な実施形態においては、ＬＥＤは、名目上、３５０ｍＡで動作するように構成されている日亜ＮＳ６白ＬＥＤ（例えば、図３を参照のこと）であることが可能であり、レンズ枠は、青銅合金から形成可能であり、光学部は、成型アクリルから形成可能であり、レンズは、低鉄強化ガラスから形成可能であり、レンズガスケットは、成型シリコンから形成可能であり、第２の（外側）筐体は、ＳＭＣポリエステル複合材から形成可能であり、支持体２１０は、（例えば、５〜１５％銅を含む）青銅合金から形成可能であり、シール２４６は、グランドタイプコードシールであることが可能であり、駆動部／電源は、エポキシのカプセル材料内にカプセル化可能であり、ガスケット２４８は、ダイカットシリコンから形成可能であり、接続箱用の覆いは、ＲＩＨ  ＳＭＣポリエステル複合材から形成可能であり、内側筐体２２０は、青銅合金から形成可能であり、ガスケット２３８は、ダイカットシリコンから形成可能である。図面について示すすべての材料は、例示的な実施形態に使用可能な例であり、他の材料は、本開示の範囲内で使用可能であることに留意されたい。
【００２４】
[0030]引き続き図２に関して、適切な材料、例えば、クリアアクリルまたはＰＭＭＡのいくつかの光学部／光学エレメント２１６の形状の横断面図を図２（Ｂ）〜（Ｄ）に示す。しかし、当業者は、光学部２１６の他の形状および構成、例えば、球状、双曲線、放物線、これらの組合せなど、任意のタイプの適切な横断面もまた（または代替的に）使用可能であり、さらには、反射エレメントもまた（または代替的に）、１つまたは複数のＬＥＤ２１２から離れる光を誘導するために使用可能になることを理解するであろう。
【００２５】
[0031]図３は、本開示による（例えば、図２に２１６で示す）ＬＥＤの分散／光成形に使用する光学部（光学エレメント）の例示的な実施形態に関するデータシートである。本明細書に使用する限り、光学部／光学エレメントは、これは単に便宜上であるが、部品番号「ＳＡＣ−００２」で示すことが可能である。
【００２６】
[0032]したがって、本開示の実施形態は、従来の地中照明器具および技術に対して１つまたは複数の利点を提供することが可能である。例えば、実施形態は、１５個の固定スポット光学部または６０個の固定フラッド分散光学部において、従来の３９ワットのメタルハライドランプと等価の性能を提供することが可能である。実施形態は、１８０度回転ビームおよび／または垂直線から０〜１５の傾斜角を提供することが可能である。
【００２７】
[0033]さらには、例示的な実施形態は、１０〜２５個の可変スポット光学部、３０〜６０個の可変フラッド分散光学部、非対称ウォールウォッシュ（「ＡＷＷ」）分散光学部、および／または優れたウォールウォッシュ（「ＳＰＷ」）分散光学部を有する１００ワットのメタルハライドランプと等価の性能を提供することが可能である。例示的な実施形態は、３６０度回転までのビーム（もしくは複数回の回転）、および／または垂直線から０〜２５（もしくはそれ以上）の傾斜角を提供することが可能である。その上、傾斜および回転は、いずれの筐体をも開く必要なしに、調整できることが可能である。加えて、実施形態は、メイン電源がオンでなくても、ＬＥＤ（および結果生じるビーム）を照準させる性能を提案することが可能である。任意の適切なＬＥＤは、本開示による実施形態に使用可能である。これらは、約３０００から６０００度Ｋの範囲全体にわたる、例えば、５０００度Ｋの色温度を有するＬＥＤを含むことが可能であるが、それに限定されない。本明細書に説明する装置／アセンブリのそれぞれの電気構成要素／部品は、水／湿気、もしくは他の液体による損傷を防ぐために防水または封止可能である。
【００２８】
[0034]特定の実施形態を本明細書に説明してきたが、当業者は、本開示の方法、システム、および器具が、その趣旨から逸脱することなく、他の具体的の形態で実施可能であることを理解するであろう。
【００２９】
[0035]したがって、添付の特許請求の範囲において主張する限り、本明細書に説明する実施形態は、すべてに関して、本開示の例示と見なすべきであり、制限するものとは見なすべきでない。
【図１】
0005342002.tif 000002
【図２】
0005342002.tif 000003
【図３】
0005342002.tif 000004